(57)【特許請求の範囲】
【請求項１】
貯水タンクと、
前記貯水タンクから送られた水を加熱して湯とする加熱手段と、
前記貯水タンク内の水を前記加熱手段に送水する送水手段と、
抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部と、
前記加熱手段と前記送水手段とを制御して、所定のプログラムにしたがって飲料の抽出を行う抽出工程を実行する制御部とを備え、
前記原料容器は、抽出原料としてポッドタイプの容器内に収容された原料を用いるものであり、前記ポッドタイプの容器を保持する原料保持部材が、前記原料保持部材を保持する容器ホルダ内に配置される構成となっていて、
前記飲料抽出部を構成したときに、前記原料保持部材に形成された前記飲料が透過する貫通口の配置位置が、前記容器ホルダに形成された前記飲料が透過する貫通口の配置位置の鉛直上方に位置せず、
さらに、前記原料容器が前記飲料抽出部に装着された状態で、前記原料保持部材に形成された貫通孔と前記蓋体内部に形成された空間とを介して、前記容器ホルダ内部の空間と装置外部の空間とが連通している、飲料抽出装置。
【請求項２】
前記容器ホルダに形成された前記貫通口が、前記飲料抽出部の中心軸上に位置し、前記原料保持部材の前記貫通口が前記飲料抽出部の前記中心軸上に対して偏心して配置されている、請求項１に記載の飲料抽出装置。
【請求項３】
前記貫通孔が、前記原料保持部材のつば部に形成されている、請求項１または２に記載の飲料抽出装置。
【請求項４】
前記原料保持部材に形成された前記貫通孔の総面積が、前記原料保持部材の前記貫通口の面積よりも小さい、請求項３に記載の飲料抽出装置。
【請求項５】
前記抽出原料として複数種類の形態で提供される原料を使用可能であり、前記原料容器は、前記抽出原料の提供形態に対応して適宜選択される複数の構成部材を積層して構成され、いずれの提供形態の原料を用いた場合でも積層された際の前記原料容器の外観形状が同じとなる、請求項１〜４のいずれかに記載の飲料抽出装置。
【請求項６】
前記抽出原料がコーヒー粉であり、前記制御部がカップ一杯分のコーヒーの抽出を行う、請求項１〜５のいずれかに記載の飲料抽出装置。
【請求項７】
貯水タンクと、
前記貯水タンクから送られた水を加熱して湯とする加熱手段と、
前記貯水タンク内の水を前記加熱手段に送水する送水手段と、
抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部と、
前記加熱手段と前記送水手段とを制御して、所定のプログラムにしたがって飲料の抽出を行う抽出工程を実行する制御部とを備え、
前記原料容器は、抽出原料が内部に配置される原料保持部材と、前記原料保持部材を保持する容器ホルダとが積層される構成となっていて、
前記原料容器が前記飲料抽出部に装着された状態で、前記原料保持部材に形成された貫通孔と前記蓋体内部に形成された空間とを介して、前記容器ホルダ内部の空間と装置外部の空間とが連通している、飲料抽出装置。
【発明の詳細な説明】
【技術分野】
【０００１】
本願は、水を加熱して生成された湯を抽出原料に供給することで、抽出原料から飲料を抽出することができる飲料抽出装置に関する。
【背景技術】
【０００２】
コーヒー専門店の台頭やコンビニエンスストアでのレギュラーコーヒー販売サービスの開始などにより、コーヒー豆から抽出されたコーヒーを楽しむ機会が増えている。これに伴ってユーザーの本物志向が刺激され、家庭やオフィスにおいても、インスタントではなくコーヒー豆を挽いたコーヒー粉末を用いて抽出されたコーヒーを手軽に楽しみたいというニーズが高まっている。このため、コーヒーカップ一杯分のコーヒーを手軽に抽出することができる飲料抽出装置であるコーヒーメーカーに対する需要が増大している。
【０００３】
このような、カップ一杯分のコーヒーを手軽に抽出するために、ポッド（ＰＯＤ）タイプとして供給されるコーヒー粉末と、これを装着して自動でコーヒーを抽出することができるコーヒーメーカーが普及している。ポッドタイプのコーヒー粉末は、一杯分のコーヒー粉末が不織布を用いた所定形状のフィルターカートリッジに詰められた状態で、一つ一つ密封して販売されているもので、コーヒー豆の販売会社が多数参加する日本カフェポッド協会が統一して規格を定めたカフェポッドなど、各種の仕様のものがある。ポッドタイプのコーヒー粉末は、コーヒーカップ一杯分のコーヒーを抽出するために必要なコーヒー粉末が封入され、抽出後にそのまま廃棄することができるという手軽さを備えている。
【０００４】
一方、市販されている比較的小容量のコーヒーメーカーは、ポッドやペーパーフィルタに入れられたコーヒー粉末に、貯水タンクに入れられた水を加熱して湯として供給することでコーヒーを抽出する。近年では、水を加熱することによって生じる蒸気圧によって湯をドリップさせる方法よりも、送水ポンプとこれを制御する制御手段とを備えて、コーヒー粉末への湯の供給度合いを正確に調整可能とする方法を採用したコーヒーメーカーが多用されつつある。さらに、水を加熱したときに生じる蒸気をコーヒー粉末に供給するタイミングを制御して、コーヒーを抽出する抽出工程の最初にドリップ前のコーヒー粉末を蒸気で蒸らすむらし工程を付加することで、よりおいしいコーヒーを煎れることができるコーヒーメーカーの開発が進んでいる。
【０００５】
このような送水ポンプと制御手段とを用いて、湯や蒸気を所定のタイミングでコーヒー粉末に供給するコーヒーメーカーとして、抽出原料であるコーヒー粉末をペーパーフィルタに直接入れたものを用いるもの（特許文献１参照）、カフェポッドを用いるもの（特許文献２参照）、ペーパーフィルタとポッドタイプとの両方を使用可能なもの（特許文献３参照）などが知られている。
【先行技術文献】
【特許文献】
【０００６】
【特許文献１】特開２００２−５１９１６号公報
【特許文献２】特開２０１３−２７４６９号公報
【特許文献３】特開２０１４−２１２９８７号公報
【発明の概要】
【発明が解決しようとする課題】
【０００７】
従来の飲料抽出装置であるコーヒーメーカーは、コーヒー豆に注がれる湯の温度や量を調整するコーヒー抽出プログラムを備え、選択されたコーヒー抽出プログラムにしたがってコーヒー抽出工程を実行し、おいしいコーヒーを煎れることができる。
【０００８】
このような、従来のコーヒーメーカーでは、飲料の抽出に用いられる高温の湯や蒸気が、不所望に外部に飛び出すことを防止する安全対策が施されている。しかし、従来のコーヒーメーカーの安全対策は、原料容器を飲料抽出装置内に閉じこめるように保持する構造を前提とするものであり、より簡易な構成の飲料抽出装置に適用することは困難である。また、コーヒーの抽出が開始された直後におけるコーヒーの撥ねや、抽出プログラムの最終段階における抽出されるコーヒーや蒸気の噴き出しに関して、安全対策が施されたコーヒーメーカーは実現されていなかった。
【０００９】
本開示はこのような従来技術の課題を解決するためのものであり、簡素化された装置構成を備え、飲料抽出中のコーヒーの撥ねや飲料抽出の最終段階における安全性に対する配慮がなされた飲料抽出装置を得ることを目的とする。
【課題を解決するための手段】
【００１０】
上記課題を解決するため、本願で開示する第１の飲料抽出装置は、貯水タンクと、前記貯水タンクから送られた水を加熱して湯とする加熱手段と、前記貯水タンク内の水を前記加熱手段に送水する送水手段と、抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部と、前記加熱手段と前記送水手段とを制御して、所定のプログラムにしたがって飲料の抽出を行う抽出工程を実行する制御部とを備え、前記原料容器は、抽出原料としてポッドタイプの容器内に収容された原料を用いるものであり、前記ポッドタイプの容器を保持する原料保持部が、前記原料保持部を保持する容器ホルダ内に配置される構成となっていて、前記飲料抽出部を構成したときに、前記原料保持部材に形成された前記飲料が透過する貫通口の配置位置が、前記容器ホルダに形成された前記飲料が透過する貫通口の配置位置の鉛直上方に位置していない。
【００１１】
また、本願で開示する第２の飲料抽出装置は、貯水タンクと、前記貯水タンクから送られた水を加熱して湯とする加熱手段と、前記貯水タンク内の水を前記加熱手段に送水する送水手段と、抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部と、前記加熱手段と前記送水手段とを制御して、所定のプログラムにしたがって飲料の抽出を行う抽出工程を実行する制御部とを備え、前記原料容器は、抽出原料が内部に配置される原料保持部材と、前記原料保持部材を保持する容器ホルダとが積層される構成となっていて、前記原料容器が前記飲料抽出部に装着された状態で、前記第２の容器の内部の空間と装置外部の空間とが連通している。
【発明の効果】
【００１２】
本願で開示する第１の飲料抽出装置は、ポッドタイプの容器内の抽出原料を用いるものであり、飲料抽出部を構成したときに、ポッドタイプの容器を保持する原料保持部材に形成された抽出された貫通口の配置位置と、原料保持部材を保持する容器ホルダに形成された貫通口の配置位置とが、鉛直方向に一直線に並ばない。このため、ポットタイプの容器から抽出された飲料が、容器の底部から２つの貫通口を通ってそのまま落下することが無く、特に、抽出初期において抽出飲料の飛び散りを防止することができる。
【００１３】
また、本願で開示する第２の飲料抽出容器は、飲料抽出部に装着された状態の原料容器の内部と外部とが、空間的に連通する構成となっている。このため、抽出された飲料の原理用容器からの放出をスムーズに行うことができるとともに、押し出された飲料が飛び散るような事態が生じることを効果的に防止することができる。
【図面の簡単な説明】
【００１４】
【図１】実施の形態にかかるコーヒーメーカーの形状を示す斜視図である。
【図２】実施の形態にかかるコーヒーメーカーの構成を説明する側断面図である。
【図３】実施の形態にかかるコーヒーメーカーのドリップ部の構成を説明する分解図である。
【図４】実施の形態にかかるコーヒーメーカーにおいて、原料としてポッドタイプのコーヒー粉末を用いる場合の、原料容器の構成を説明する分解斜視図である。
【図５】実施の形態にかかるコーヒーメーカーにおいて、原料として挽かれたコーヒー粉末を直接用いる場合の、原料容器の構成を説明する分解斜視図である。
【図６】実施の形態にかかるコーヒーメーカーにおいて、原料容器が取り外された状態を示す斜視図である。
【図７】実施の形態にかかるコーヒーメーカーのドリップ部の構成を示す、要部拡大断面図である。
【図８】実施の形態にかかるコーヒーメーカーにおける抽出工程中のコーヒーの状態と、空気の流れを説明する模式図である。
【図９】実施の形態にかかるコーヒーメーカーにおける押し出し中のコーヒーの状態と、空気の流れを説明する模式図である。
【発明を実施するための形態】
【００１５】
本願で開示する第１の飲料抽出装置は、貯水タンクと、前記貯水タンクから送られた水を加熱して湯とする加熱手段と、前記貯水タンク内の水を前記加熱手段に送水する送水手段と、抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部と、前記加熱手段と前記送水手段とを制御して、所定のプログラムにしたがって飲料の抽出を行う抽出工程を実行する制御部とを備え、前記原料容器は、抽出原料としてポッドタイプの容器内に収容された原料を用いるものであり、前記ポッドタイプの容器を保持する原料保持部材が、前記原料保持部材を保持する容器ホルダ内に配置される構成となっていて、前記飲料抽出部を構成したときに、前記原料保持部材に形成された前記飲料が透過する貫通口の配置位置が、前記容器ホルダに形成された前記飲料が透過する貫通口の配置位置の鉛直上方に位置していない。
【００１６】
本開示にかかる第１の飲料抽出装置は上記の構成を備えることで、ポッドタイプの容器から抽出された飲料が、原料保持部材の貫通口と容器ホルダとの貫通口とを一気に通過して、抽出装置に設置されたカップなどの飲料容器に落下することを防止することができる。このため、特に、抽出初期の段階において、抽出された飲料の飛び散りを効果的に防止することができる。
【００１７】
本開示にかかる飲料抽出装置において、前記ポッドタイプの容器の中心位置と前記容器ホルダに形成された前記貫通口とが、前記飲料抽出部の中心軸上に位置し、前記原料保持部材の前記貫通口が前記飲料抽出部の前記中心軸上に対して偏心して配置されていることが好ましい。このようにすることで、抽出原料が収容されたポットタイプの容器を飲料中心部と同軸に配置でき、さらに、飲料容器に対向する容器ホルダの貫通口を飲料抽出部の中心に配置することができる。
【００１８】
また、前記原料保持部材に貫通孔が形成され、前記原料保持部材が前記容器ホルダ内に保持された状態で、前記容器ホルダ内部の空間と飲料抽出装置の外部の空間とが連通していることが好ましい。このようにすることで、容器ホルダ内部の空間が外部に対して密閉されることを回避でき、内部圧力の関係で飲料の抽出が遅くなってしまう事態や、押し出された飲料が周囲に飛び散ってしまう事態を効果的に回避することができる。
【００１９】
さらに、前記原料保持部材に形成された前記貫通孔の総面積が、前記原料保持部材の前記貫通口の面積よりも小さいことが好ましい。このようにすることで、貫通孔を介して多くの蒸気が外部へと流出してしまい、飲料の抽出のために必要な蒸気量が確保できないという不所望な事態を回避することができる。
【００２０】
さらにまた、前記抽出原料として複数種類の形態で提供される原料を使用可能であり、前記原料容器は、前記抽出原料の提供形態に対応して適宜選択される複数の構成部材を積層して構成され、いずれの提供形態の原料を用いた場合でも積層された際の前記原料容器の外観形状が同じとなることが好ましい。このようにすることで、幅広い抽出原料の提供形態に対応した飲料抽出装置を実現することができる。
【００２１】
また、前記抽出原料がコーヒー粉であり、前記制御部がカップ一杯分のコーヒーの抽出を行うことが好ましい。このようにすることで、一杯分のコーヒーを抽出可能なコーヒーメーカーを実現することができる。
【００２２】
本願で開示する第２の飲料抽出装置は、貯水タンクと、前記貯水タンクから送られた水を加熱して湯とする加熱手段と、前記貯水タンク内の水を前記加熱手段に送水する送水手段と、抽出原料を収容する原料容器と、前記原料容器を保持する容器保持部と、前記原料容器の上方を開閉可能に覆うとともに前記湯を吐出する吐出口を備えた蓋体とを有し、前記加熱手段で生成された湯を用いて前記抽出原料から飲料を抽出する飲料抽出部と、前記加熱手段と前記送水手段とを制御して、所定のプログラムにしたがって飲料の抽出を行う抽出工程を実行する制御部とを備え、前記原料容器は、抽出原料が内部に配置される原料保持部材と、前記原料保持部材を保持する容器ホルダとが積層される構成となっていて、前記原料容器が前記飲料抽出部に装着された状態で、前記容器ホルダの内部の空間と装置外部の空間とが連通している。
【００２３】
このように構成することで、本願に係る第２の飲料抽出装置では、飲料抽出部に装着された状態の原料容器の内部と外部とが、空間的に連通し、原料容器の内部の空間の圧力が高くなることを回避することができる。このため、連通部分が吸気口や排気口として機能して、飲料のスムーズな抽出が妨げられる事態や、飲料が周囲に飛び散ってしまう事態を防止することができる。
【００２４】
以下、本願で開示する飲料抽出装置について図面を参照して説明する。
【００２５】
（実施の形態）
以下では、本願で開示する飲料抽出装置の実施の形態として、抽出原料としてコーヒー粉末を用いるコーヒーメーカーを例示して説明する。
【００２６】
本実施形態で例示するコーヒーメーカーは、レギュラーコーヒー用のポッドタイプのコーヒー原料を用いて一杯分のコーヒーを抽出可能であるとともに、挽かれたコーヒー粉末をそのまま用いても一杯分のコーヒーを抽出可能な、抽出原料であるコーヒー粉の複数の提供形態に対応することができるコーヒーメーカーである。
【００２７】
図１に、本実施形態にかかるコーヒーメーカーの外観構成を示す。
【００２８】
本実施形態にかかるコーヒーメーカー１００は、本体部１と本体部１の側方に配置された貯水タンク２とを備えている。
【００２９】
本体部１は、全体として嵩高の略直方体形状をしており、本体部１の内部には、貯水タンク２からの水を送水する送水手段である送水ポンプや、送水された水を加熱する加熱手段であるボイラー部など、貯水タンク２内の水を加熱して湯として供給する給湯機構が配置されている。本体部１の幅狭の側面である手前側側面（一側面）の上部には、本体部１から手前側に突出するようにして全体の平面視形状が円形の飲料抽出部であるドリップ部１１が配置されている。また、本体部１の手前側側面の下部には、ドリップ部１１と本体部１の高さ方向を介して対向するように、手前側に突出して平面視形状が円形のトレイ１２が配置されている。本体部１の手前側側面は、ドリップ部１１とトレイ１２との間の部分が、ドリップ部１１とトレイ部１２の形状に合わせて円筒形状に湾曲した湾曲凹面１３となっている。
【００３０】
なお、図１において、トレイ１２はその底部が本体部１の底部と同じ高さとなるように、最も下側の位置に配置された状態が示されているが、載置されるコーヒーカップ等の高さに応じてトレイ１２の上下方向位置を可変して固定できる構造とすることができる。このようにすることで、ドリップ部１１の下端に位置する吐出口とコーヒーカップ等との距離が大きくなりすぎて、ドリップ部１１から供給されるコーヒーが撥ねてコーヒーカップからこぼれ、コーヒーメーカーが載置されている周囲の部分を汚してしまうことを回避することができる。
【００３１】
本実施形態のコーヒーメーカー１００では、本体部１の上面に操作部１４が配置されている。操作部１４には、ユーザーが抽出されるコーヒーの濃さを好みに応じて選択するなど、各種の抽出メニューを選択して抽出動作を開始させるスイッチボタン１５が配置されている。なお、詳細な説明は省略するが、操作部１４にはスイッチボタン１５の他に、抽出プログラムの開始と終了などのコーヒーメーカー１００の動作状態や、ドリップ部１１にコーヒー粉末を収容した原料容器が正しく装着されていないこと、貯水タンクに所定量の水が入っていないことなどの各種の異常状態を表示するランプ、さらには、異常状態を含むコーヒーメーカー１００の動作状態を表示する表示素子などを配置することができる。
【００３２】
本実施形態のコーヒーメーカー１００では、貯水タンク２は、本体部１の幅広側の側面、すなわち、図１において向かって右側の側面に本体部１に並立する円筒形状として形成されている。貯水タンク２は、着脱可能で内部に水を溜めることができるタンク部２ａと、本体部１の底部部分と接続されるとともに上部にタンク部２ａが載置されるベース部２ｂとから構成されていて、タンク部２ａをベース部２ｂに正しく載置すると、ベース部２ｂ内に配置された図示しない給水管を介して、タンク部２ａの内部の貯水空間と本体部１内の給湯機構とが接続されるようになっている。
【００３３】
なお、本実施形態のコーヒーメーカー１００では、デザイン上の観点から貯水タンク２を本体部１の側方に並立する円筒形状としているが、貯水タンク２の形状には制約はない。また、貯水タンクの配置位置としても、本体部１の上部または側面の一部を切り欠いて貯水タンクを配置する部分を形成した構成や、本体部１の内部に貯水タンクを配置する構成など、各種の構成を採用することができる。さらに、貯水タンク２をベース部２ｂとベース部２ｂに対して着脱可能なタンク部２ａとの２つの部材で構成するのではなく、１つの部材もしくは３つ以上の部材からなる貯水タンク２を使用することができる。さらに、貯水タンク２を構成する部材にも制限はなく、貯水タンク２の側面に透明な窓部を設けてタンク部２ａ内の水の量を容易に確認することができる構成とするなど、所定量もしくは所定量以上の水を収容することができるものであれば、貯水タンク２として従来周知の各種形状、各種構成のものを使用することができる。
【００３４】
次に、図２を用いて、本実施形態のコーヒーメーカー１００の本体部１の内部の構成と、ドリップ部１１の構成を説明する。
【００３５】
図２は、本体部とドリップ部との断面構成を示す側断面図であり、貯水タンクが配置されている側面側から見た状態を示している。
【００３６】
図２に示すように、本体部１の内部には、電源配置部２１、流量センサ２２、送水ポンプ２４、ボイラー部２６、給湯管２７、操作基板２８が配置されている。
【００３７】
電源配置部２１は、本体部１内部の底面側に形成されていて、その内部には、商用電源に接続される電源ケーブル１６（図３参照）に接続された電源回路基板２１ａが配置されている。電源回路基板２１ａには、商用電圧を所定の駆動電圧に変換し、本体部１内部に配置された送水ポンプ２４やボイラー部２６の加熱ヒータ２６ｂなどを駆動するための電源とする電気回路部品が搭載されている。
【００３８】
流量センサ２２は、電源配置部２１の上部に配置されていて、図２では現れない配管を介して貯水タンク２と接続されていて、貯水タンク２のタンク部２ａに貯水されている水は、流量センサ２２で流量を計測された後に図２では一部のみが現れている配管２３を介して送水ポンプ２４に供給される。
【００３９】
送水ポンプ２４は、電源配置部２１の上部に流量センサ２２と並ぶように配置されていて、貯水タンク２のタンク部２ａ内の水を、流量センサ２２と流路を形成する配管２３を介して吸引し、図２において一部が現れている配管２５を介してボイラー部２６へと送水する。
【００４０】
ボイラー部２６は、流量センサ２２のさらに上部の本体部１内部のやや上方よりの部分に配置されていて、送水ポンプ２４より圧送されてきた水が流れる流路２６ａと、流路２６ａを取り巻くように配置されて流路２６ａ内の水を加熱する加熱ヒータ２６ｂとを備えている。ボイラー部２６で流路２６ａ内の水が加熱ヒータ２６ｂにより加熱されて生成された蒸気や湯は、本体部１内部の上端部分に向かって配置された給湯管２７を通って、ドリップ部１１へと送られる。
【００４１】
本体部１の上面に形成された操作部１４の下側には、操作部１４に配置されたスイッチボタン１５に接続されたスイッチング素子などが搭載された操作基板２８が配置されている。
【００４２】
本実施形態にかかるコーヒーメーカー１００では、送水ポンプ２４やボイラー部２６を制御して所定の条件でコーヒーの抽出を行う、制御部を構成する制御回路２９が、電源配置部２１の電源回路基板２１ａに搭載されている。制御回路２９は、流量センサ２２の出力である流量信号や、ボイラー部２６内における蒸気や湯の温度を検知する温度センサからの信号などを受信して、送水ポンプ２４の送水量や送水タイミング、ボイラー部２６における加熱度合いなどを制御する。また、操作基板２８に搭載されたスイッチング素子からの信号は、図示しないコネクタ素子などを介して制御回路２９に伝達される。さらに、制御回路２９は、操作機板上に搭載されたランプや表示デバイスなどを動作させて、ユーザーにコーヒーメーカー１００の動作状態などを報知する。
【００４３】
このような制御回路２９を備えることで、本実施形態にかかるコーヒーメーカー１００では、操作部１４の操作ボタン１５を介して行われるユーザーからの指示に応じて、例えば、湯を供給するドリップ工程の前に所定時間蒸気のみをコーヒー粉末に供給するむらし工程を行うなど、抽出量や指示された抽出濃さに応じたプログラムにしたがっておいしいコーヒーを抽出する抽出工程を自動的に実行することができる。
【００４４】
また、本実施形態にかかるコーヒーメーカー１００において、制御回路２９は、所定の抽出工程の終了後に、ドリップ部１１内に残存するコーヒーを積極的に押し出してコーヒーカップへと注ぐ押し出し工程や、押し出し工程の終了後に、ボイラー部２６や給湯管２７内に残存していた湯や蒸気などが不所望に吹き出すことがないように冷却する冷却工程などの抽出終了工程を実行する。
【００４５】
さらに、制御回路２９は、ドリップ部１１においてコーヒー原料が正しくセッティングされていない場合や、給水タンク２内に所定量の水が収容されていない場合など、コーヒーを抽出する抽出工程を開始することができない状態である場合には、これを検出してユーザーに警告音などで知らせるエラー表示機能を備えることもできる。また、制御回路２９は、抽出終了工程の終了後に、ユーザーにコーヒーの抽出が完了したことを知らせる抽出完了信号を電子音やランプの点灯などとして発信することができる。
【００４６】
このような制御回路２９は、マイクロコンピュータや各種の論理回路、さらには抽出プログラムが記憶された記憶媒体などによって構成でき、制御ＩＣとしてチップ化されて構成することができる。
【００４７】
なお、制御回路２９は、比較的熱に弱い電子回路で構成されるため、発熱部材であるボイラー部２６から隔離されるとともに、水漏れや高温となる畏れがある給水機構に対して隔離された、本体部１内部の上方に配置することが好ましい場合がある。このため、例えばスイッチング素子などが搭載された操作基板２８上に、制御回路２９を配置することができる。また、適切な熱遮蔽処置や防水処置を採ることで、本体部１内部の所望する場所に、電気回路基板を配置して制御回路２９を搭載することができる。
【００４８】
本体部１の上端側の、図２における左側端部（図１における手前側の端部である一側面）には、ドリップ部１１を構成する蓋体３０がヒンジ機構３３によって、回動可能に取り付けられている。蓋体３０は、本体部１の上端側の手前側端部から後退する方向である、図２中に矢印Ａとして示す方向に回動してドリップ部１１の上部を開放するとともに、矢印Ｂとして示す方向に回動してドリップ部１１の上部を閉塞する。
【００４９】
蓋体３０の内部には、給湯管２７に接続されたドリップ配管３４が形成され、ドリップ配管３４の先端は蓋体３０の内側面の中央に配置された吐出口３５に接続されている。なお、本実施形態のコーヒーメーカー１００では、蓋体３０は平面視円形状に形成されていて、中央の内側面に吐出口３５を備えた中心部３２と、中心部３２を取り巻くように同軸状に形成されて、中心部３２に対して所定の角度回動可能な外周部３１とから形成されている。
【００５０】
蓋体３０は、図中矢印Ｂ方向に回動した状態、すなわち図２に示すようにその上面が水平となっている状態で、容器保持部であるホルダ受け部５０との間に配置された原料容器４０を保持する。原料容器４０は、容器ホルダ４１、容器ホルダ４１の内部に配置される原料保持部材（図２ではポッドタイプに対応したポッド用アダプタ４２が記載されている）とから構成され、蓋体３０とホルダ受け部５０とによって挟み込まれた状態となる。このように蓋体３０とホルダ受け部５０とで原料容器４０を挟み込んだ状態で固着させ、吐出口３５から所定のタイミングで所定量の蒸気や湯が吐出されることで、原料保持部材に収容されたコーヒー粉末からコーヒーが抽出される。
【００５１】
なお、本実施形態のコーヒーメーカー３０に用いられる蓋体３０は、例示した平面視円形状のものに限られず、例えば平面視したときに全体として矩形や正方形のものなど、コーヒーメーカーのデザイン性と原料容器を開閉可能に覆う機能性との観点から、その平面形状を適宜選択することができる。
【００５２】
図３は、本実施形態にかかるコーヒーメーカーにおける、ドリップ部の構成を説明するための分解図である。
【００５３】
図３に示すように、ドリップ部１１には、ヒンジ機構３３（図２参照）により図中後方側へと回動してドリップ部１１の上方を開閉可能に覆うことができる蓋体３０と、本体部１の手前側側面の底部に配置されたトレイ１２と所定の間隔を有してこれと対向するように配置されたホルダ受け部５０との間に、抽出原料を収容する原料容器４０（４０ａ、４０ｂ）が配置されて構成される。
【００５４】
本実施形態のコーヒーメーカー１００では、ホルダ受け部５０に搭載される容器ホルダ４１と、容器ホルダ４１と重ね合わせることで容器ホルダ４１の内側の所定位置に保持される原料保持部材とが、蓋体３０とホルダ受け部５０との間に挟み込まれる原料容器４０を構成する。ポッドタイプの収容体に収容されたコーヒー粉末を用いてドリップする場合には、ポッド用アダプタ４２が原料保持部材として使用され、原料容器４０ａを構成する。また、ミルなどによって挽かれたコーヒー粉末を用いてドリップする場合には、散水板４３とフィルタケース４４とが積層されて原料保持部材となり、容器ホルダ４１内に配置されて原料容器４０ｂを構成する。
【００５５】
なお、蓋体３０の内側面、すなわち、原料容器４０に対向する面には、中央部に形成された吐出口３５の周囲に中央パッキン３６が、さらに、中央パッキン３６の周囲には中央パッキン３６と同心円状の環状パッキン３７が配置されている。また、蓋体３０の回動可能な外周部３１（図２参照）の内側面には、係持ピン３８が原料容器４０（４０ａ、４０ｂ）に向かって突出形成されている。この係持ピン３８が原料容器４０に形成された第１の係持部材４１ｈ（図４、図５参照）とホルダ受け部５０に形成された第２の係持部材５６（図６参照）とに嵌合することで、蓋体３０は、原料容器４０とホルダ受け部５０とにしっかりと固着される。蓋体３０が原料容器４０とホルダ受け部５０とに一体的に固着されることで、中央パッキン３６と環状パッキン３７とが原料容器４０の上面部分に密着して、吐出口３５と抽出原料が収容されたポッド容器の上面もしくは原料保持部材の上面との間を、外部の空間に対して密閉することができる。
【００５６】
なお、図３に示すように、本体部１の貯水タンク２が隣接して配置されていない側（図３における向かって左側）の下部から、商用電源に接続される電源プラグ１６が延出している。電源プラグ１６は、一端が本体部１内部の電源配置部２１の電源回路基板２１ａに接続されていて、コーヒーメーカー１００に電源を供給する。なお、コーヒーメーカーを収納する時の便宜を図るために、電源プラグ１６の特にコード部分を本体部１の内部に収容可能な構成とされる場合がある。
【００５７】
次に、原料容器４０（４０ａ、４０ｂ）の構成について説明する。
【００５８】
図４は、抽出原料としてポッドタイプの容器内に封入されたコーヒー粉を用いる場合に使用される原料保持部材を備えた、原料容器の構成を説明する分解斜視図である。
【００５９】
図４に示すように、抽出原料としてポッドタイプの容器に収容されたものを使用する場合は、容器ホルダ４１内に、ポッド用アダプタ４２を装着して原料容器４０ａを形成する。
【００６０】
容器ホルダ４１は、底面側にいくにつれて少しずつ径小となる側面を有する有底略円筒状の容器である。容器ホルダ４１の内側に形成される空間４１ａの上部には、外側に広がる円環状のつば部４１ｂが形成され、さらに、つば部４１ｂの外周には上方へ向かう壁部４１ｃが形成されている。壁部４１ｃの一部には、上端から外側方向に延在する幅広の把持部４１ｄが形成されていて、ユーザーが容器ホルダ４１を容易に持つことができるようになっている。また、把持部４１ｄが形成されている側に対向する側面部分上端部では、壁部４１ｃに切り欠き部４１ｅが形成されていて、切り欠き部４１ｅが形成されている部分では壁部４１ｃは形成されていない。
【００６１】
なお、容器ホルダ４１の底面４１ｇの中央には貫通口４１ｊ（図７参照）が形成されていて、抽出されたコーヒーは、この貫通口４１ｊを通ってトレイ１２上のコーヒーカップに注がれる。
【００６２】
ポッド用アダプタ４２は、有底略円筒状の容器である。ポッド用アダプタ４２は、内側に形成される空間４２ａの上部に外側に向かって張り出す円環状のつば部４２ｂが形成され、つば部４２ｂの外周部分は、上方に向かって延出する壁部４２ｃとなっている。つば部４２ｃの一部分から外方に向けて、把持部４２ｄが形成されていて、ユーザーは、把持部４２ｄを用いてポッド用アダプタ４２を容易に把持することができる。
【００６３】
なお、つば部４２ｂの内側部分には、つば部４２ｂよりも一段下がった状態の環状部分４２ｊが形成されていて、ポッド用アダプタ４２内にポッドが装着された場合に、ポッドの容器６０の上面に形成されたつば状部分が載置される（図７参照）。
【００６４】
また、つば部４２ｂには、一例として直径が１ｍｍの貫通孔４２ｋが形成されている。本実施形態のコーヒーメーカー１００では、貫通孔４２ｋはいずれも同じ直径を有するものであり、それぞれ中心に対して９０°の間隔を保って全部で４つ形成されている。
【００６５】
なお、貫通孔４２ｋの大きさや個数、つば部４２ｂでの配置位置は上記例示したものに限られない。例えば、貫通孔４２ｋの個数を１個から３個または５個以上とすることができ、複数個の貫通孔４２ｋの配置間隔も均等とする必要はない。また、複数個の貫通孔４２ｋを設ける場合に、それぞれの貫通孔４２ｋの大きさを異ならせることもできる。ただし、貫通孔４２ｋは、後述のように容器ホルダ４１とポッド用アダプタ４２との間の空間４１ａと外部空間との間に配置された吸気口や排気口として機能するものであるため、つば部４２ｂ上になるべく均等に配置されることが好ましい。
【００６６】
また、貫通孔４２ｋの大きさはつば部４２ｂの幅に最大値が制限されるが、つば部４２ｂの形状や強度を損なわない限りにおいて大きめに形成することが好ましい。ただし、ポッド用アダプタ４２内の空間４２ａの吸気口／排気口として機能することから、つば部４２ｂに形成された貫通孔４２ｋの面積の総和が、ポッド用アダプタ４２の底面４２ｇに形成された貫通口４２ｉの面積よりも小さくすることが好ましい。貫通孔４２ｋの開口径が大きくなりすぎると、貫通孔４２ｋを介しての外部への蒸気の漏れが多くなり過ぎて、例えばむらし工程におけるコーヒー粉への蒸気の供給量が減って、むらし工程としての所望の効果が低減してしまうからである。
【００６７】
ポッド用アダプタ４２の底面４２ｇにも貫通口４２ｉ（図７参照）が形成されているため、ポッド用アダプタ４２に載置された状態のポッドから抽出されたコーヒーは、この底面４２ｇの貫通口４２ｉを通過して容器ホルダ４１の内部の空間４１ａ内に流れ、容器ホルダ４１の底面４１ｇの貫通口４１ｊを介してコーヒーカップに注がれる。
【００６８】
ポッド用アダプタ４２の壁部４２ｃの外径は、容器ホルダ４１の壁部４１ｃの内径に対してわずかに小さく形成されている。このため、容器ホルダ４１の内側にポッド用アダプタ４２を配置すると、ポッド用アダプタ４２のつば部４２ｂの裏側（下面側）が容器ホルダ４１のつば部４１ｂ上に載置されることとなり、ポッド用アダプタ４２を容器ホルダ４１の内側に配置することができる。
【００６９】
ポッド用アダプタ４２の壁部４２ｃの上端部と容器ホルダ４１の壁部４１ｃの上端部とは、両者が重ね合わせられた際にほぼ同一の高さとなるように形成されているため、ポッド用アダプタ４２と容器ホルダ４１とを重ね交わせた際に、両者をより一体のものに近い状態で取り扱うことができる。
【００７０】
また、容器ホルダ４１の壁部４１ｃに形成された切り欠き部４１ｅの幅がポッド用アダプタ４２の把持部４２ｄの幅とほぼ同じとなっており、さらに、容器ホルダ４１のつば部４１ｂに形成された切り欠き４１ｆと、ポッド用アダプタ４２の把持部４２ｄの根本部分に形成された下側への突起部４２ｆとが嵌合するようになっている。このため、容器ホルダ４１内に載置した際には、ポッド用アダプタ４２の把持部４２ｄが容器ホルダ４１の把持部４１ｄと互いに対向する方向になるよう、両者の向きが整えられる。
【００７１】
このようにして、容器ホルダ４１とポッド用アダプタ４２とを重ね合わせた際には、両者の位置関係が正確に定まることとなる。
【００７２】
なお、容器ホルダ４１の上部側面には、蓋体３０の係持ピン３８と係合することが可能な第１の係持部材４１ｈが形成されている。また、ポッド用アダプタ４２のつば部４２ｂの外側には、壁部４２ｃよりも高く形成された一対の位置規制衝立４２ｈが形成されている。位置規制衝立４２ｈは、蓋体３０が原料容器４０ａを覆った際に、蓋体３０の内面側に形成された位置決め溝と嵌合して、蓋体３０と原料容器４０ａと間の位置関係をより正確に規制することができる。また、ポッド用アダプタ４２の把持部４２ｄの上面側部分は、所定の広さを有する平坦面４２ｅが形成されている。蓋体３０が原料容器４０ａを覆った際に、蓋体３０のヒンジ機構３３近傍に配置された押圧部材が、この平坦面４２ｅを押圧することで、蓋体３０と原料容器４０ａの密着性をより向上することができる。
【００７３】
図５は、抽出原料としてコーヒー粉末を直接用いる場合の、原料保持部材を備えた原料容器の構成を説明する分解斜視図である。
【００７４】
本実施形態のコーヒーメーカー１００では、挽かれた状態のコーヒー粉末を直接用いてドリップする場合には、ポッド用ホルダ４２とこれに載置されるポッド部材に替えて、散水板４３とコーヒー粉末を収容するフィルタケース４４とが用いられる。この場合には、散水板４３と内部に所定量のコーヒー粉末を収容したフィルタケース４４とを重ね合わせて容器ホルダ４１内に収容することで原料容器４０ｂが構成され、原料容器４０ｂが、蓋体３０とホルダ受け部５０との間に保持されることでドリップ部１１が構成される。
【００７５】
容器ホルダ４１は、図４に示したポッドタイプの容器に収容されたコーヒー粉末を用いる場合と同じ部材であるため、説明は省略する。
【００７６】
散水板４３は、全体が円板形状として形成されていて、上面４３ａの外周部分に上方に向かう壁部４３ｂが形成されている。上面４３ａは所定幅の円環状に形成されていて、上面４３ａの内側部分には下方側に突出した下方突出部４３ｃが形成されている。下方突出部４３ｃの中央には、小径の上方突出部４３ｄが形成されていて、上方突出部４３ｄの中央には円形の凹面４３ｅが形成され、凹面４３ｅには開口４３ｆが複数個形成されている。
【００７７】
上面４３ａの一部分からは、外方に伸びる把持部４３ｇが形成され、ユーザーは把持部４３ｇを利用することで容易に散水板４３を持つことができる。把持部４３ｇの上面側部分には、所定の広さを有する平坦面４３ｈが形成されている。この平坦面４３ｈは、図４で説明したポッド用アダプタ４２の把持部４２ｄ上面の平坦面４２ｅと同様に、蓋体３０が原料容器４０ａを覆った際に、蓋体３０のヒンジ機構３３近傍に配置された押圧部材がこの平坦面４３ｈを押圧することで、蓋体３０と原料容器４０ｂの密着性をより向上することができる。
【００７８】
また、散水板４３の把持部４３ｇとは反対側の壁部４３ｄには壁部４３ｄよりもさらに高く形成されたつまみ部４３ｉが形成されていて、ユーザーが散水板４３を持つときに、把持部４３ｇに加えてつまみ部４３ｉを補助的に利用することができる。
【００７９】
フィルタ部材４４は、上方に向かって経大となる略カップ形状の部材である。
【００８０】
フィルタ部材４４の上部には環状のつば部４４ａが外方に向かって形成され、つば部４４ａの外周には上方に向かう壁部４４ｂが形成されている。フィルタ部材４４の側面は、所定の間隔で配置された柱状部材４４ｃと柱状部材４４ｃの間に配置されたメッシュ部材４４ｄで構成されていて、フィルタ部材４４の内部に所定量のコーヒー粉末を入れて１杯分のコーヒーを抽出することができる。
【００８１】
メッシュ部材４４ｄとしては、一例として、ステンレス製で２００番手のメッシュを用いることができる。なお、フィルタ部材４４ｄとしては、ステンレスメッシュの他にもナイロンメッシュなどのメッシュ部材を用いることができる。さらに、メッシュの番手としても、抽出される飲料の好適な抽出速度を考慮して、１００番程度から３００番程度の所定の粗さのメッシュを用いることができる。
【００８２】
つば部４４ａの一部分には、つば部４４ａより外方へ延出する把持部４４ｅが形成され、把持部４４ｅの形成部分では、壁部４４ｂが形成されずに切り欠き部４４ｆとなっている。
【００８３】
壁部４４ｂの内径は、散水板４３の壁部４３ｂの外径よりもわずかに大きく形成されているため、フィルタ部材４４の上部に散水板４３を載置することができる。また、フィルタ部材４４の把持部４４ｅの幅は、容器ホルダ４１の切り欠き４１ｆの幅よりもわずかに小さく形成され、さらに、散水板４３の把持部４３ｇの裏面内部に収容可能な大きさとなっている。また、フィルタ部材４４の切り欠き部４４ｆの幅が、散水板４３の把持部４３ｇの幅よりもわずかに大きく形成されている。このため、容器ホルダ４１とフィルタ部材４４と散水板４３とを、回転方向における互いの位置合わせを行った状態で、この順に積層することができる。
【００８４】
なお、フィルタ部材４４のつば部４４ａの外側には、壁部４４ｂよりも高く形成された一対の位置規制衝立４４ｇが形成されている。位置規制衝立４４ｇは、ポッド用アダプタ４２の位置規制衝立４２ｈと同様に、蓋体３０が原料容器４０ｂを覆った際に、蓋体３０の内面側に形成された位置決め溝と嵌合して、蓋体３０と原料容器４０ｂと間の位置関係をより正確に規制することができる。
【００８５】
本実施形態にかかるコーヒーメーカー１００では、抽出原料としてポッドを用いる場合には、図４に示したポッド用アダプタ４２にポッドを装着し容器ホルダ４１に載置することで原料容器４０ａを構成してドリップ部１１に配置する。抽出原料としてコーヒー粉末を直接用いる場合には、図５に示した散水板４３と内部にコーヒー粉を収容したフィルタ部材４４とを積層して容器ホルダ４１に載置して原料容器４０ｂを構成してドリップ部１１に配置する。このようにして、いずれの抽出原料を用いた場合でも同様に簡易にコーヒーを抽出することができる。このとき、本実施形態にかかるコーヒーメーカー１００においては、抽出原料としてポッドを用いる場合とコーヒー粉末を直接用いる場合とのいずれの場合でも、ユーザーは、内部にコーヒー粉末を収容した状態の原料容器４０（４０ａ、４０ｂ）を容器ホルダ４１の把持部４１ｄを用いて一体的に取り扱うことができる。
【００８６】
図６は、原料容器が取り外された状態のコーヒーメーカーを示す斜視図である。
【００８７】
本実施形態のコーヒーメーカー１００では、本体部１の幅狭側面（一側面）側に配置されたドリップ部１１の蓋体３０がヒンジ機構３３により回動可能となっていて、蓋体３０はドリップ部１１の原料容器４０の上方を覆った閉塞状態（図２の状態）から、図６に示す、一側面から後退する方向に所定の角度（一例として約５０度）開いた開放状態へと移行できるようになっている。
【００８８】
ドリップ部１１において、原料容器４０が装着されるホルダ受け部５０は、円板状の底面５１と上方に行くにつれて経大となる傾斜面として形成された側面５２と、側面５２の上端部に形成された外方へ広がる円環状のつば部５３と、つば部５３の外周部分から上方へと延出された壁部５４とで構成されている。
【００８９】
ホルダ受け部５０の底面５１には、中央に底面５１と同心円状に開口５５が形成されている。また、図６に示すように、ホルダ受け部５０の側面５２、つば部５３、壁部５４は、いずれも本体部１側のみに形成されていて、ホルダ受け部５０の側面５２、つば部５３、壁部５４は、いずれも底面５１の中心を通る中心線に沿った切断線で、本体部１の一側面の側に位置する約半分が切断されて開放された形状となっている。
【００９０】
本実施形態のコーヒーメーカーにおける原料容器として、図４および図５を用いて詳細に説明したとおり、ポッドを用いる場合の原料容器４０ａとコーヒー粉末をそのまま用いる場合の原料容器４０ｂとは、それぞれを構成する部材は異なるものの、いずれも同じ容器ホルダ４１に載置され、原料容器４０として組み立てられた状態で同じ外観形状となるように構成されている。
【００９１】
また、本実施形態のコーヒーメーカー１００における容器ホルダ４１は、底面側にいくにつれて少しずつ径小となる側面を有する略円筒状に形成されており、原料容器４０として組み立てられた場合において、ユーザーが把持する把持部４１ｄの反対側には側面から平板状に伸延する部材として把持部４２ｄと４３ｇのみが形成された形状となっている。このため、本体部１の一側面である幅狭側の側面（図６における左手前側側面）に対峙した状態のユーザーが、ホルダ保持部５０上に原料容器４０を差し込むように載置しようとした場合に、ホルダ保持部５０と干渉する部分が無くユーザーは、原料容器４０を真っ直ぐに押し込むようにして、ホルダ受け部５０上に位置させることができる。
【００９２】
一方、容器ホルダ４１の底面４１ｇには、底面４１ｇに形成された貫通口４１ｊを取り巻くように筒状突起部４１ｉが形成されていて（図７参照）、この筒状突起部４１ｉは、ホルダ受け部５０の底面５１に形成された開口５５に嵌合する大きさとなっている。このため、ユーザーは、筒状突起部４１ｉがホルダ受け部５０の底面５１を超えて開口５５に嵌合するように、少しだけ原料容器４０を持ち上げるだけで、原料容器４０をホルダ受け部５０上の正しい位置に載置することができる。したがって、本実施形態にかかるコーヒーメーカー１００では、ドリップ部１１に原料容器を載置するに当たって原料容器４０の上方を覆う蓋体３０が完全に開く必要はなく、図６に示すように所定角度（一例として約５０度）の回動が行われれば、ドリップ部１１の所定位置に本体部１の側方から原料容器４０を載置することができる。
【００９３】
一方、上述のように、ホルダ受け部５０の底面５１は円環状に形成されると共に、底面５１の開口５５には、容器ホルダ４１の底面の筒状突起部４１ｉが嵌合するようになっている。また、原料容器４０においてドリップ部１１に装着された状態での奥側である、本体部１の内部側に向かって伸延する把持部４２ｄと４３ｇの上面には、平坦面４２ｅと４３ｈとがそれぞれ形成されている。この平坦面４２ｅと４３ｈとは、蓋体３０が閉塞した際には蓋体３０のヒンジ機構３３近傍に形成された押圧部材となる抑えリブ３９（図６参照）によって押圧されるため、蓋体３０が原料容器４０を覆った状態でロックされれば、原料容器４０をドリップ部１１内でしっかりと保持することができ、手前側に外れてしまうことはない。このため、本実施形態のコーヒーメーカー１００では、従来のコーヒーメーカーと比べて本体部内部への原料容器４０の装着が格段に容易であり、また、ユーザーにとっては手前側である本体部の側方（一側面側）から原料容器４０を着脱できるので、コーヒーメーカー１００の載置場所として低い位置を選ばなくてはならないという不都合が生じない。
【００９４】
なお、本実施形態のコーヒーメーカー１００では、平面視円形状の蓋体３０の中心部３２を取り巻くように同軸状に形成された外周部３１が、中心部３２に対して所定の角度回動可能に配置されている。そして、外周部３１には、原料容器４０と対向する側である内側面に突出形成された係持ピン３８（図３参照）が形成されている。一方で、ホルダ受け部５０に載置された状態で原料容器４０の外殻をなす容器ホルダ４１の上部側面には、蓋体３０の径方向外側に向かって突出形成された第１の係持部材４１ｈ（図４、図５参照）が形成されている。また、ホルダ受け部５０の上部には、第１の保持部材４１ｈに対向するように配置され、蓋体３０の径方向内側に向かって突出形成された第２の係持部材５６（図６参照）が形成されている。
【００９５】
蓋体３０の係持ピン３８は、その断面形状が先端部である下端側が広がった逆Ｔ字状となっているため、第１の係合部材４１ｈと第２の係合部材５６とが対向している間隙部に入り込むことで、両係持部材４１ｈ、５６と係合して、蓋体３０を原料容器４０とホルダ受け部５０とに対して同時に、かつ、一体的に固着することができる。
【００９６】
また、ユーザーが蓋体３０の外周部３１を中心部３２に対して回動することで、蓋体３０と原料容器４０およびホルダ部材５０との係合を解除することができる。なお、このとき、バネなどの弾性部材を用いた付勢手段によって、蓋体３０の外周部３１が係合状態を維持できる位置に留まるように付勢することで、ユーザーが蓋体３０のロックとロック解除とをより容易に行うことができるようにすることができる。また、蓋体３０のヒンジ機構部３３に、蓋体３０が開いた状態となる方向に維持する付勢手段を設けることで、ユーザーが蓋体３０のロックを解除した際の蓋体３０の開放を容易に行うことができるようにすることができる。
【００９７】
なお、本実施形態のコーヒーメーカー１００において、蓋体３０の内側面における環状パッキン３７の外側部分には、吐出口３５を中心とする環状に形成された溝状の凹部７１が配置されている。
【００９８】
図７は、本実施形態のコーヒーメーカーにおけるドリップ部の構成を示す要部拡大断面図である。図７は、図２と同様にコーヒーメーカーを貯水タンクの配置側から見た側断面図であり、ドリップ部にポッドタイプの容器が装着され、蓋体がロックされてコーヒーの抽出が可能な状態を示している。
【００９９】
ポッドタイプの容器を抽出原料として用いてコーヒーの抽出を行う場合には、図７に示すように、ポッドタイプの容器６０が内部に収容されたポッド用アダプタ４２が、容器ホルダ４１と重ね合わされた状態でホルダ受け部５０の底面５１と蓋体３０とに挟まれ、蓋体３０がロックされる。
【０１００】
ポッドタイプの容器６０は、直径に対して深さ方向がやや大きな略半球状のカップ部６１と、カップ部６１の上面を覆うとともにカップ部６１よりも外側に張り出したつば部を持つ平面部６２とから形成されていて、カップ部６１内に所定量のコーヒー粉末６３が収容されている。
【０１０１】
容器６０のカップ部６１の直径となる上端部分の外径は、ポッド用アダプタ４２の円筒状部分の上端部分の内径よりもやや小さく形成され、容器６０の平面部６２の外側に張り出した部分がポッド用アダプタ４２のつば部４２ｂ内側の一段下がった環状部分４２ｊ上に載置されることで、ポッド用アダプタ４２の円筒状部分内に容器６０のカップ部６１が位置するようになる。
【０１０２】
図３に示したように、蓋体３０の底面に形成された中央パッキン３６は、蓋体３０の底面周辺部に配置された環状パッキン３７よりもさらに突出するように形成されているため、容器ホルダ４１ａ内に収容された容器６０が収容された状態で蓋体３０がロックされると、容器６０上面の平面部６２の中央パッキン３６が当接する中央部分６２ａ（ポッドを上方から平面視した場合の中心部分で、図７における奥行き方向における中央部分）は、ポッド用アダプタ４２の環状部分４２ｊと蓋体３０の環状パッキン３７とに挟まれている平面部６２の周辺部分６２ｂ（ポッドを上面から平面視した場合の周辺部分で、図７では最も奥側に位置する部分）と比較して、下側に押し下げられた状態となる。このようにして、蓋体３０がロックされたコーヒー抽出時の状態では、蓋体３０の底面中央に形成された吐出口３５が容器６０の上面の平面部６２の中央部分に確実に密着する。
【０１０３】
ポッドタイプの容器６０のカップ部６１は、抽出されたコーヒーやカップ部６１内に供給された蒸気が通り抜けられるように紙製また樹脂製のフィルタ部材として形成されている。また、ポッドタイプの容器６０の平面部６２は、樹脂製のフィルム素材により形成されていて、中央部分には微細な開口が形成されている。このため、平面部６２は、中央部分では吐出口から吐出された蒸気や湯を良好に透過させることができるとともに、中央部分以外では、蒸気や湯をほとんど、もしくは、全く透過させない構成となっている。
【０１０４】
このため、ポッドタイプの容器６０が装着された状態でコーヒーメーカー１００の抽出工程が開始された場合には、ドリップ配管３４を介してポッドタイプの容器６０に供給された蒸気や湯が、吐出口３５から容器６０の平面部６２の中央部分の開口を経てカップ部６１内に供給され、コーヒー粉末６３を蒸したり、コーヒーを抽出したりする。抽出されたコーヒーは、カップ部６１の側面からポッド用アダプタ４２内部の空間４２ａへと滲み出して、ポッド用アダプタ４２の底面４２ｇに形成された貫通口４２ｉを経てポッド用アダプタ４２と容器ホルダ４１との間の空間４１ａに到達する。さらに、抽出されたコーヒーは、容器ホルダ４１の底面４１ｇの中央部に形成された貫通口４１ｊを通って、下方に位置するトレイ１２（図１参照）上に配置された図示しないコーヒーカップに注がれる。
【０１０５】
なお、本実施形態のコーヒーメーカー１００では、図７に示すように、容器ホルダ４１の貫通口４１ｊは、平面視円形状に形成されているドリップ部１１の中心に位置し、蓋体３０の中央部分に形成された吐出口３５の真下に位置するように形成されているのに対し、ポッド用アダプタ４２の貫通口４２ｉは、ドリップ部１１の中心位置から本体部１側（図７における右側）に偏心した位置に形成されている。すなわち、本実施形態のコーヒーメーカーでは、ポッドを保持するポッド用アダプタ４２の貫通口４２ｉが、ポッド用アダプタ４２をその内側に保持する容器ホルダ４１の貫通口４１ｊの鉛直上方に位置しない構成となっている。この結果、本実施形態にかかるコーヒーメーカーでは、ポッドタイプの容器６０の底面と容器ホルダ４１の貫通口４１ｊとを結ぶ線上にはポッド用アダプタ４２の底面４２ｇが介在して、容器６０のカップ部６１の底部と貫通口４１ｊとが直線状には結ばれないようになっている。
【０１０６】
仮に、貫通口４２ｉが貫通口４１ｊの鉛直上方に位置し、カップ部６１の底面中央と貫通口４１ｊとが直線状に結ばれていた場合には、コーヒー抽出時の特に抽出開始時に、カップ部６１の底部中央から滲み出したコーヒーが、そのまま貫通口４２ｉと貫通口４１ｊとを通り抜けて、貫通口４１ｊの下方に配置されたコーヒーカップに落下する。この場合、コーヒーカップを貫通口４１ｊに近づけておいた場合でも、コーヒーカップと容器６０のカップ部６１底面との間には一定以上の高度差が生じているため、落下したコーヒーが大きく撥ねる場合がある。このような不所望な事態は、例えば抽出途中にコーヒーの流れが途切れた場合など、抽出開始時点から抽出が完全に終了するまだのいずれのタイミングでも生じうる。しかし、本実施形態のコーヒーメーカー１００の場合には、ポッドの容器６０カップ部６１底面から抽出されたコーヒーが、そのまま容器ホルダ４１の貫通口４１ｊを通過して落下することがないため、このような事態は生じない。このため、本実施形態のコーヒーメーカー１００では、撥ねたコーヒーによってコーヒーメーカー周囲のテープル面などが汚れるなどの不所望な事態の発生を、効果的に回避することができる。
【０１０７】
なお、本実施形態のコーヒーメーカーにおいて、原料容器４０としてポッドタイプの容器内に収容されたコーヒー粉を用いずに、挽かれた状態のコーヒー粉をそのまま用いる図５で示した原料容器４０ｂを用いる場合には、コーヒー粉を収容するフィルタ部材４４はメッシュ部材４４ｄが側面に配置され、フィルタ部材４４の底面から抽出されたコーヒーが下方に落下する構成ではないため、抽出開始直後のコーヒーが、そのまま容器ホルダ４１の貫通口４１ｊを通過してコーヒーカップ内に落下するという事態が生じない。しかし、コーヒー粉を直接用いる形態の原料容器４０ｂの場合に、例えば抽出初期のコーヒーがフィルタ部材４４の中心部分からのみ滴下する構成の場合には、滴下部分をドリップ部１１の中心軸に対して偏心させるか、フィルタ部材４４と容器ホルダ４１の貫通口４１ｊとの間を遮断する部材を配置することが好ましい。
【０１０８】
なお、本実施形態にかかるコーヒーメーカーの場合には、原料容器４０ａにおいて、ポッド用アダプタ４２の貫通口４２ｉと、容器ホルダ４１の貫通口４１ｊとが、いずれも中心軸が鉛直方向に配置された円筒状の部材として構成されている。これに対し、貫通口４２ｉおよび貫通口４１ｊの一方または両方が、鉛直方向に対して傾斜して配置された円筒状の部材として構成されていた場合には、ポッド用アダプタ４２の貫通口４２ｉの下端部に位置する先端の開口が、容器ホルダ４１の貫通口４１ｊの下端部に位置する先端の開口と鉛直方向において重複する部分を有さない位置にあることが、ポッド用アダプタ４２の貫通口４２ｉが容器ホルダ４１の貫通口４１ｊの鉛直上方に位置しない構成となる。
【０１０９】
また、さらに、ポッド用アダプタ４２の貫通口４２ｉおよび容器ホルダ４１の貫通口４１ｊの一方または両方が、厚みを有する円筒形状ではなく厚み方向の大きさを有さない平面状の開口として形成されていた場合には、ポッド用アダプタ４２の貫通口４２ｉである開口が、容器ホルダ４１の貫通口４１ｊである開口と鉛直方向において重複する部分を有さない位置にあることが、ポッド用アダプタ４２の貫通口４２ｉが容器ホルダ４１の貫通口４１ｊの鉛直上方に位置しない構成となる。すなわち、本願において原料保持部材の貫通口の配置位置が、容器ホルダの貫通口の配置位置の鉛直上方に位置しない構成とは、原料保持部の貫通口から落下した飲料が、そのまま、容器ホルダの貫通口を通り抜けてしまわない構成を意味する。
【０１１０】
また、本実施形態のコーヒーメーカー１００では、ポット用アダプタ４２の貫通口４２ｉの開口径ｄ１と、容器ホルダ４１の貫通口４１ｊの開口径ｄ２との間に、ｄ１＞ｄ２という関係が成り立つように構成されている。
【０１１１】
上述したように、本実施形態のコーヒーメーカー１００では、ポッド用アダプタ４２の貫通口４２ｉが容器ホルダ４１の貫通口４１ｊに対して偏心して配置されている。このため、ポッドの容器６０からコーヒーが連続して抽出されている状態では、ポッド用アダプタ４２の内部４２ａに溜まったコーヒーが、容器ホルダ４１の底面４１ｇに当たり、底面４１ｇ上を流れた後に貫通口４１ｊからコーヒーカップに注がれる。このように、抽出されたコーヒーに容器ホルダ４１内の空間４１ａで横方向に向かう動きが加わるため、貫通口４１ｊからコーヒーカップへと注がれるコーヒーに、図７中の左右方向に向かう「流れ」が生じやすくなる。また、容器６０からのコーヒーが不連続に抽出されている状態では、最終的に容器ホルダ４１の貫通口４１ｊからコーヒーカップへと供給されるコーヒーがそのまま不連続なものとなるが、容器ホルダ４１の貫通口４１ｊから注がれるコーヒーに、このような「流れ」や不連続が生じると、貫通口４１ｊからコーヒーカップに注がれるコーヒーに乱れが生じて、コーヒー撥ねの原因となりやすい。
【０１１２】
これに対し、本実施形態にかかるコーヒーメーカー１００では、ポッド用アダプタ４２の貫通口４２ｉの開口径ｄ１を容器ホルダ４１の貫通口４１ｊの開口径ｄ２よりも大きくすることで、ポッド用アダプタ４２から容器ホルダ４１内の空間４１ａへと単位時間内に供給されるコーヒーの量が、容器ホルダ４１内の空間４１ａから単位時間内にコーヒーカップへと注がれるコーヒーの量よりも大きくなる。この結果、必然的に容器ホルダ４１内の空間４１ａに抽出されたコーヒーが溜まるため、ポッド用アダプタ４２の貫通口４２ｉが偏心していることに起因する貫通口４１ｊから注がれるコーヒーに生じる「流れ」の影響を解消することができ、容器ホルダ４１の貫通口４１ｊからは、真下の方向へとコーヒーが注がれるようになる。
【０１１３】
また、特に、コーヒー抽出の終了前でコーヒーの抽出量が低減してきた状況において、容器ホルダ４１内の空間４１ａにコーヒーが残っていることにより、貫通口４１ｊから注がれるコーヒーが不連続となることも解消される。よって、本実施形態のコーヒーメーカー１００では、貫通口４１ｊからコーヒーカップに注がれるコーヒーがまとまらなかったり間欠的に注がれたりすることに起因する、コーヒー撥ねを効果的に防止することができる。
【０１１４】
本実施形態のコーヒーメーカー１００では、ポッド用アダプタ４２のつば部４２ｂに貫通孔４２ｋが形成されているため、蓋体３０がロックされた状態において、容器ホルダ４１とポッド用アダプタ４２との間の空間４１ａと蓋体３０の内側面に形成された溝状の凹部７１とが空間的に連通している。凹部７１は、蓋体３０の回動する外周部３１の下端部と容器ホルダ４０ａとの間に形成された隙間部７２を介してコーヒーメーカー１００の外部と連通している。このため、容器ホルダ４１とポッド用アダプタ４２との間の空間４１ａは、コーヒーメーカー１００の外部と空間として繋がり、貫通孔４２ｋが、空間４１ａにおける吸気口と排気口としての機能を果たすことができる。
【０１１５】
図８は、本実施形態のコーヒーメーカーにおける、抽出工程中における抽出されるコーヒーの状態と空気の流れとを模式的に示す図である。
【０１１６】
上述したように、本実施形態のコーヒーメーカー１００では、ドリップ用アダプタ４２に形成された貫通口４２ｉの径ｄ１が、容器ホルダ４１に形成された貫通口４１ｊの径ｄ２よりも大きいため、ドリップ用アダプタ４２内の空間４２ａに抽出されたコーヒー８１は、容器ホルダ４１内の空間４１ｂ内に一旦は留まる８２こととなる。抽出工程においては、蓋体３０内のドリップ配管３４から吐出口３５を介して、コーヒーを抽出するための湯や蒸気が図８中白矢印８３として示すように供給され続けるが、貫通口４１ｊをコーヒー８２が塞いだ状態であると、容器ホルダ４１の内部４１ａが密閉状態となってコーヒーの抽出量が低下する。
【０１１７】
本実施形態のコーヒーメーカー１００では、ポッド用アダプタ４２のつば部４２ｂに貫通孔４２ｋが形成されているため、容器ホルダ４１内の空間４１ａとコーヒーメーカー１００の外部の空間とが連通し、貫通孔４２ｋが外部の空気を白矢印８４として示すように取り込む吸気口の機能を果たすので、コーヒーの出（白矢印８５）が悪くなるという現象を効果的に回避することができる。
【０１１８】
結果として、本実施形態のコーヒーメーカー１００では、コーヒーの抽出時間が短くなり、おいしいコーヒーをユーザーに提供することができるという効果を奏することができる。
【０１１９】
また、本実施形態にかかるコーヒーメーカー１００では、抽出工程の終了後に、ボイラー部２６から吐出口３５までの間に残っている湯や蒸気を押し出すとともに、抽出途中のコーヒーを押し出してコーヒーの抽出を早く完了させるための押し出し工程を備えることができる。
【０１２０】
押し出し工程は、抽出工程の終了後所定の間隔を置いた後に、送水ポンプ２４やボイラー部２６の加熱ヒータ２６ｂを所定期間だけ動作させて、少量の湯や蒸気を吐出口３５から供給することで行われる。
【０１２１】
このような押し出し工程を行った場合には、容器ホルダ４１内の空間４１ａ内に残存していたコーヒー９１が、ドリップ配管３４から吐出口３５を介して供給される湯や蒸気（図９中の白矢印９２）に押し出される。このとき、本実施形態のコーヒーメーカー１００では、ポッド用アダプタ４２のつば部４２ｂに形成されている貫通孔４２ｋを介して容器ホルダ４１内の空間４１ａとコーヒーメーカー１００の外部の空間とが連通しているため、貫通孔４２ｋが排気口として働いて空間４１ａの空気が外部に放出され（白矢印９３）、空間４１ａの圧力を効果的に低下させることができる。この結果、貫通口４１ｊから供給されるコーヒーが白矢印９４として示すように飛び散ることを、効果的に防止することができる。
【０１２２】
なお、容器ホルダ４１の空間４１ａから排気された空気は、貫通孔４２ｋを経て一旦蓋体３０の内側面に形成された環状の凹部７１内に留まる。このため、容器ホルダ４２の空間４１ａ内の高温の蒸気が、間隙部７２を介して蓋体３０の外部へと吹き出される事態を回避することができる。また、凹部７１内に一旦留まった蒸気は、冷却された後に容器ホルダ４２のつば部４２ｂ上に戻り、一部は貫通孔４２ｋを介して容器ホルダ４１内の空間４１ａに戻ることとなる。このため、コーヒーの抽出完了時にユーザーが蓋体３０を上方に回動した場合でも、凹部７１内の蒸気が冷えた水がこぼれるなどの不所望な事態を回避することができる。
【０１２３】
以上説明したように、本実施形態にかかるコーヒーメーカー１００では、ポッド６０を用いてコーヒーの抽出を行う際に、ポッド６０を保持して原料容器４０を構成するポッド用アダプタ４２の上面に形成されたつば部４２ｂに貫通孔４２ｋが形成され、貫通孔４２ｋを介して容器ホルダ４１内の空間４１ａとコーヒーメーカー１００の外部の空間とが連通している。この貫通孔４２ｋが、コーヒーの抽出時にはコーヒーの抽出を促進する吸気口となり、押し出し工程ではコーヒーの不所望な飛び散りを防止する排気口となって、安全に、かつ、コーヒーの飛び散りが生じるなどの不所望な事態を回避しておいしいコーヒーを煎れることができるコーヒーメーカーを実現することができる。
【０１２４】
なお、上記で説明したコーヒーメーカーでは、ポッド用アダプタの貫通口４２ｉの位置を偏心させた構成を示した。これは、蓋体３０に形成される吐出口３５と、コーヒーカップへとコーヒーを注ぐ容器ホルダ４１の貫通口４１ｊとをドリップ部１１の中心軸に沿って配置することで、蓋体３０の構成やトレイ１２を含めたコーヒーカップ載置部分を容易に構成することができるからである。これとは逆に、ポッド用アダプタ４２の貫通口４２ｉをドリップ部１１の中心軸上に配置して、容器ホルダ４１の貫通口４１ｊをドリップ部１１の中心軸上から偏心させるなど、２つの貫通口４２ｉ、４１ｊが鉛直方向に一直線に並ばないさまざまな形態を採用することができる。もちろん、ポッドの容器６０の中心と、２つの貫通口４２ｉ、４１ｊとがいずれも鉛直方向において重ならない位置となるように、ドリップ部１１を構成することもできる。
【０１２５】
また、上記例示のコーヒーメーカーでは、抽出工程の終了後に押し出し工程を備えたものを例示したが、本開示にかかるコーヒーメーカーでは、押し出し工程を備えることは必須ではない。この場合、貫通孔４２ｋは、コーヒー抽出時の吸気口としてコーヒーの抽出を促進するという効果を果たすことができる。
【０１２６】
さらに、上記実施形態では、ポッド用アダプタ４２のつば部４２ｂに貫通孔４２ｋを備えた構成を示したが、吸気口や排気口として機能する貫通孔として、容器ホルダ４１内の空間４１ａとコーヒーメーカー１００の外部とを空間的に連通する開口であれば、貫通孔の配置場所はつば部４２ｂのみに限られない。ポッド用ホルダ４２のつば部４２ｂ以外の上面部分に貫通孔を形成することができ、また、つば部４２ｂとともにその外側に位置する壁部４２ｃに渡って貫通孔を形成して、横方向に外部空間との連通孔を形成することもできる。
【０１２７】
また、上記説明において、挽いた状態のコーヒー粉をそのまま用いる際に原料容器４０を構成する散水板４３やフィルタ部材４４には、ポッド用アダプタ４２のつば部４２ｂに設けたような貫通孔４２ｋを設けないものとして説明した。原料であるコーヒーを供給する原料容器４０として、フィルタ部材４４を用いた場合には、ポッド用アダプタ４２を用いた場合と比較して組み合わされた状態の原料容器４０ｂに隙間が多く、ポッド用アダプタ４２を用いた原料容器４０ａの場合のように、容器ホルダ４１内部の空間４１ａがコーヒーメーカー１００の外部の空間から遮蔽されて密閉状態なることは少ない。このため、コーヒーの抽出速度の低下や不所望なコーヒーの飛び散りなどの問題が生じにくいからである。もちろん、挽いたコーヒー粉をそのまま用いる原料容器４０ｂの場合にも、容器ホルダ４１内の空間４１ａが密閉状態となって問題が発生する場合には、散水板４３やフィルタ部材４４に適宜貫通孔を設けて、容器ホルダ４１内の空間４１ａと外部とを連通させることが好ましい場合がある。
【０１２８】
なお、上記実施形態では、ポッドタイプのコーヒーを用いる場合とコーヒー粉をそのまま用いる場合との両方を可能とする構成として、原料容器の外形を同一に保った状態で異なる抽出原料を保持できるように異なる部材を積層して用いる例を示した。しかし、本実施形態のコーヒーメーカーにおいて、異なる抽出原料を使用可能とすることは必須ではない。
【０１２９】
また、上記詳細に例示した原料容器４０ａ、４０ｂの具体的な形状は例示に過ぎない。蓋体３０とホルダ受け部５０との間に載置されて内部に抽出原料を保持でき、蓋体３０に形成された吐出口３５から供給される湯を用いて飲料を抽出することができる各種形態の原料容器４０を使用することができる。なお、本実施形態のコーヒーメーカー１００のように、抽出原料として異なる形態で供給される原料を用いる場合には、原料容器４０を複数部品の組立体として、一部または全部の部材を交換可能に組み立てて、原料容器として求められる外形形状と、内部に配置される原料を保持する原料保持部として求められる形状とが両立できるように設計することが好ましい。
【０１３０】
また、図４および図５に示したように、本実施形態のコーヒーメーカー１００では、異なる原料を用いた場合の原料容器４０（４０ａ、４０ｂ）の外形をほぼ同じとすることで、いずれの原料容器４０を用いた場合でも、蓋体３０とホルダ受け部５０との間に同じ状態で配置固着されるようになっている。なお、原料容器４０の上部または側部などの外形部分に突起や凹所などの指標部を設け、本体部１に設けた検知手段によってこの指標部の形状を読み取ることで、ドリップ部１１に載置されている原料容器４０の種類を判別可能とすることができる。この場合には、制御部が判別結果に応じて、それぞれの原料によって異なる抽出工程を自動的に実行可能とすることができる。
【０１３１】
また、上記実施形態では、飲料抽出装置であるコーヒーメーカーの一側面に対して側方から原料容器を容器保持部に直接載置可能な構成の例について説明したが、原料容器の容器保持部への載置は、側方からのものに限られず、また、直接的にではなく、例えば容器収容部を覆う扉状の保護部材を開いて原料容器を載置する構成とすることができる。
【０１３２】
さらに、上記実施形態では、飲料抽出装置としてコーヒー粉末からレギュラーコーヒーを抽出するコーヒーメーカーを例示して説明したが、本願で開示する飲料抽出装置としては、紅茶や日本茶、ウーロン茶などの茶葉を用いていわゆるお茶を抽出する飲料抽出装置としても実現することができる。また、ココアなどの粉体を用いて飲料を抽出するもの、味噌などのペースト状の部材を用いて味噌汁を抽出するもの、その他、各種の汁物やスープを抽出するものなど、各種の飲料を抽出する飲料抽出装置を実現することができる。
【０１３３】
さらにまた、抽出できる飲料の容量も、一杯の飲料を抽出するものには限られず、数杯程度まで複数杯分の飲料を抽出可能な飲料抽出装置として実現することができる。
【産業上の利用可能性】
【０１３４】
本開示にかかる飲料抽出装置は、装置全体の小型化と構成の簡素化を図ることができ、低コストで操作性と安全性の高い飲料抽出装置として有用である。
【符号の説明】
【０１３５】
１    本体部
２    貯水タンク
１１    ドリップ部（飲料抽出部）
２６    ボイラー部（加熱手段）
３０    蓋体
３３    ヒンジ機構
３５    吐出口
４０（４０ａ、４０ｂ）    原料容器
５０    ホルダ支持部（容器保持部）
１００    コーヒーメーカー（飲料抽出装置）
【図１】
0006646867.tif 000002
【図２】
0006646867.tif 000003
【図３】
0006646867.tif 000004
【図４】
0006646867.tif 000005
【図５】
0006646867.tif 000006
【図６】
0006646867.tif 000007
【図７】
0006646867.tif 000008
【図８】
0006646867.tif 000009
【図９】
0006646867.tif 000010